(57)【要約】【課題】制御盤全体のサイズを小型化することができ、この小型化によって輸送費や工事費などの施工コストを下げることができると共に電気室などの設置スペースを小さくすることができ、また、複数の単位装置を収納、取り出す際の作業性を向上させることができる制御盤を提供する。【解決手段】単位装置３４を個々に支持して当該単位装置３４の出し入れを補助する装置用ガイドレール３８と、この装置用ガイドレール３８を介して単位装置３４が収納された際に、当該単位装置３４の電源プラグ４１が接続される分岐母線４０と、この分岐母線４０に電線ケーブル４６で接続されており、且つコントロールセンタ（制御盤）３０の収納スペースへの収納時に電源供給用の垂直母線１５に接続されることにより、分岐母線４０と垂直母線１５とを接続する仲介電源プラグ４１とを有する装置収納ケース３６を、コントロールセンタ３０に備える。【選択図】      図１
2004328873.tif 000002
【特許請求の範囲】
【請求項１】
制御盤内を水平な仕切り板で仕切って収納スペースを形成し、この収納スペースに電気機器をユニット化した単位装置を複数収納し、この収納された単位装置の電源プラグが電源供給用の母線に接続される制御盤において、
前記単位装置を個々に支持して当該単位装置の出し入れを補助する第１のガイド手段と、この第１のガイド手段を介して前記単位装置が収納された際に、当該単位装置の電源プラグが接続される分岐母線と、この分岐母線に接続されており、且つ前記収納スペースへの収納時に前記母線に接続されることにより、前記分岐母線と前記母線とを接続する仲介電源プラグとを有し、前記収納スペースに出し入れ自在に収納されるケース
を備えたことを特徴とする制御盤。
【請求項２】
前記収納スペースを形成する上下の仕切り板のうち下の仕切り板に、前記ケースを支持して当該ケースの出し入れを補助する第２のガイド手段を備えた
ことを特徴とする請求項１に記載の制御盤。
【請求項３】
前記第１のガイド手段は、前記単位装置を、この長手辺が前記ケースの水平面に対して垂直となる縦置き状態に複数支持するように、前記ケース内に設けられている
ことを特徴とする請求項１または２に記載の制御盤。
【請求項４】
前記ケース内を水平な仕切り板で仕切り、この仕切り板の上下面とケース内の上下面とに、前記第１のガイド手段を設けた
ことを特徴とする請求項１から３の何れか１項に記載の制御盤。
【発明の詳細な説明】
【０００１】
【発明の属する技術分野】
本発明は、低圧電動機の始動回路などをユニット化した単位装置を、複数台まとめて収納するコントロールセンタなどに用いられる制御盤に関する。
【０００２】
【従来の技術】
図７は、従来の制御盤の一例であるコントロールセンタの構成を示す図であり、（ａ）は正面図、（ｂ）は側面図である。
この図７に示すコントロールセンタ１０は、例えば工場などの水平な床面に設置され、その床面に対して垂直な高さ方向（以下、垂直方向ともいう）に細長い直方体形状を成している。
コントロールセンタ１０の最上部には、直方体の室形状を成す母線室１１及びこの母線室ドア１１ａが設けられ、その母線室１１の下方には、垂直方向に沿って各々独立した直方体の室形状を成す複数の収納室１２及びこの収納室ドア１２ａが設けられている。
【０００３】
各収納室１２の底面には、載置テーブル１３が設けられており、この載置テーブル１３の上に、図８（ａ）の正面図及び（ｂ）の側面図に示す概略直方体形状を成す単位装置２１を載置して収納室１２に収納するようになっている。また、収納室１２への単位装置２１の出し入れは自在であり、収納後に収納室ドア１２ａを閉じると、その収納室ドア１２ａの開口窓から単位装置２１のブレーカ２１ａ及び表示盤２１ｂが露出し、外部から操作及び視認できるようになっている。
【０００４】
母線室１１内には、各収納室１２に収納された単位装置２１に電源を供給するための３相分の水平母線１４が設けられており、この水平母線１４に、コントロールセンタ１０内の概略中央部に垂直に設けられた３相分の垂直母線１５が電気的に接続されている。この垂直母線１５に、各収納室１２に収納された単位装置２１の電源プラグ２３が嵌合されることによって電源が供給されるようになっている。
【０００５】
但し、各収納室１２は、垂直母線１５よりも前面側に設けられているが、背面側にも同様に設けられる場合もある。
この種の従来の制御盤として、例えば下記特許文献１に記載の制御盤がある。この制御盤は、上記の単位装置２１に該当するユニットに接続するケーブルの錯綜をなくし、ユニットを電源側に簡単に接続することを目的としている。
【０００６】
制御盤内を水平方向の仕切り板で仕切って、複数のユニット取付スペースを形成し、各ユニット取付スペースに、電気器具を搭載したユニットを挿入し、制御盤上部の水平母線とユニットとを接続した制御盤において、制御盤の側部に設け、水平母線に一端を接続した垂直母線と、垂直母線に一端を接続し、ユニットを挿入するユニット取付スペースに配置した分岐母線と、ユニットの背面に設け、分岐母線に嵌合するコネクタとを設けている。これによって、ユニットを電源側に簡単に接続でき、ケーブルの錯綜を無くすことが可能なようになっている。
【０００７】
【特許文献１】
特開平１１−１６４４１４号公報（要約書、特許請求の範囲）
【０００８】
【発明が解決しようとする課題】
しかし、従来の図７及び図８を参照して説明した様な制御盤においては、各収納室１２に直方体形状の単位装置２１を収納する場合、単位装置２１の長手辺が水平となる横置き状態に収納することを前提としているので、図９に示すように、単位装置２１の長手方向（水平方向）のサイズＬ１が、収納室１２の横幅（水平方向の幅）Ｌ２よりも短い場合、収納室１２に空きスペース２５が生じてしまう。
【０００９】
このような空きスペース２５は無駄なスペースとなり、各収納室１２において空きスペース２５が生じるほどに無駄なスペースが増加することになるので、その分、制御盤が必要以上に大きくなる。このように制御盤が大きくなると、輸送費や工事費などの施工コストが高くなると共に、電気室などの設置スペースが大きくなるという問題がある。
【００１０】
また、上記特許文献１においては、仕切り板間のユニット取付スペースに複数のユニットを、長手辺が垂直となる縦置き状態に収納するようになっているので、各ユニットを水平方向に詰めれば、上記の空きスペース２５が生じないようにすることも可能である。
しかし、ユニットをユニット取付スペースに出し入れする際に、ユニットを個々に、仕切り板に載置して収容したり、仕切り板から持ち上げて取り出したりしなければならず、また、ユニットを出し入れする過程で収容スペースが少なくなってくると出し入れがし難くなるので、作業性が悪いという問題がある。
【００１１】
本発明は、このような課題に鑑みてなされたものであり、制御盤全体のサイズを小型化することができ、この小型化によって輸送費や工事費などの施工コストを下げることができると共に電気室などの設置スペースを小さくすることができ、また、複数の単位装置を収納、取り出す際の作業性を向上させることができる制御盤を提供することを目的としている。
【００１２】
【課題を解決するための手段】
上記目的を達成するために、本発明の請求項１による制御盤は、制御盤内を水平な仕切り板で仕切って収納スペースを形成し、この収納スペースに電気機器をユニット化した単位装置を複数収納し、この収納された単位装置の電源プラグが電源供給用の母線に接続される制御盤において、前記単位装置を個々に支持して当該単位装置の出し入れを補助する第１のガイド手段と、この第１のガイド手段を介して前記単位装置が収納された際に、当該単位装置の電源プラグが接続される分岐母線と、この分岐母線に接続されており、且つ前記収納スペースへの収納時に前記母線に接続されることにより、前記分岐母線と前記母線とを接続する仲介電源プラグとを有し、前記収納スペースに出し入れ自在に収納されるケースを備えたことを特徴としている。
【００１３】
この構成によれば、ケースに複数の単位装置を出し入れ自在に収納するようにした。この際、単位装置の個々を第１のガイド手段によって支持しながら出し入れするので、個々の単位装置の出し入れが容易となる。また、複数の単位装置を収納した状態でケース自体を、制御盤内の収納スペースに出し入れ自在に収納することができるので、同時に複数の単位装置を制御盤内に出し入れすることができる。更に、ケースに単位装置を収納した際に、当該単位装置の電源プラグがケースの分岐母線に接続される。この分岐母線は同ケースの仲介電源プラグに接続されているので、当該ケースを制御盤内に収納した際に仲介電源プラグが母線に接続されると、単位装置の電源プラグが、分岐母線及び仲介電源プラグを介して母線に接続される。これによって、作業者は制御盤への単位装置の収納時に意識することなく単位装置を母線に接続することができる。
【００１４】
また、本発明の請求項２による制御盤は、請求項１において、前記収納スペースを形成する上下の仕切り板のうち下の仕切り板に、前記ケースを支持して当該ケースの出し入れを補助する第２のガイド手段を備えたことを特徴としている。この構成によれば、ケースを第２のガイド手段によって支持しながら制御盤内に出し入れするので、ケースの出し入れが容易となる。
【００１５】
また、本発明の請求項３による制御盤は、請求項１または２において、前記第１のガイド手段は、前記単位装置を、この長手辺が前記ケースの水平面に対して垂直となる縦置き状態に複数支持するように、前記ケース内に設けられていることを特徴としている。
この構成によれば、ケース内に、複数の単位装置を隣同士に殆ど空間ができないように第１のガイド手段で支持して収納することができるので、ケース内の高さを、単位装置を収納した状態で単位装置の長手辺とほぼ同じ寸法としておけば、ケース内に殆ど空きスペースが生じることなく複数の単位装置を収納することができる。
【００１６】
また、本発明の請求項４による制御盤は、請求項１から３の何れか１項において、前記ケース内を水平な仕切り板で仕切り、この仕切り板の上下面とケース内の上下面とに、前記第１のガイド手段を設けたことを特徴としている。
この構成によれば、サイズの小さい単位装置を、ケース内に殆ど空きスペースが生じることなく複数収納することができる。
【００１７】
【発明の実施の形態】
以下、本発明の実施の形態を、図面を参照して説明する。
（実施の形態）
図１は、本発明の実施の形態に係る制御盤であるコントロールセンタの構成を示す正面図である。但し、図１に示す本実施の形態において、図７に示した従来例の各部に対応する部分には同一符号を付し、その説明を省略する。
【００１８】
この図１に示すコントロールセンタ３０の特徴は、母線室１１の下方に、所定間隔で水平に仕切り板３２を複数配置し、これらの仕切り板３２の間に形成される直方体形状の収納スペースに、図２の斜視図に示す単位装置３４を長手辺が垂直となる縦置き状態に複数収納する装置収納ケース３６を収納して構成した点にある。但し、装置収納ケース３６内の高さは、単位装置３４を収納した状態で単位装置３４の長手辺とほぼ同じ寸法とされている。
【００１９】
また、図１に示すコントロールセンタ３０においては、図７に示した母線室ドア１１及び、収納室ドア１２に該当する装置収納ケース３６用のドアは省略する。更に、単位装置３４は、図８に示した単位装置２１と同様にブレーカ２１ａや表示盤２１ｂなどを備えており、装置収納ケース３６用のドア１２ａを閉じると、そのドアの開口窓から単位装置２１のブレーカ２１ａ及び表示盤２１ｂが露出し、外部から操作及び視認できるようになっているものとする。
【００２０】
このような構成のコントロールセンタ３０及び装置収納ケース３６を、図３（ａ）、（ｂ）及び図４を参照して説明する。但し、図３（ａ）はコントロールセンタ３０の一部正面図、（ｂ）は（ａ）の主要部分を表した側面図である。図４は装置収納ケース３６に形成された分岐母線を示す図である。
図３（ａ）及び（ｂ）に示すように、装置収納ケース３６内の上下面には、上下で平行に対向する装置用ガイドレール３８が、水平方向に所定間隔で固定されており、各装置用ガイドレール３８に支持されて単位装置３４が出し入れ自在に収納されるようになっている。
【００２１】
また、装置収納ケース３６の四隅以外の装置用ガイドレール３８は、装置収納ケース３６の上下面に水平方向に沿って所定間隔で形成されたネジ穴と、これに螺合するネジなどの規制手段によって任意位置に固定できるようになっている。これによって、単位装置３４のサイズが異なっても、装置用ガイドレール３８に単位装置３４が支持できる位置に固定可能となる。
【００２２】
なお、装置用ガイドレール３８は、例えば四角形筒型部品やコ字型形状部品を上下で対向する位置に設置するなどによっても実現可能であり、単位装置３４を縦置き状態に複数収納可能であって、その出し入れを容易とする部材であれば、何を用いてもよい。
各分岐母線４０は、単位装置３４を装置収納ケース３６に装置用ガイドレール３８に沿って収納した際に、単位装置３４の背面に設けられた３相分の電源プラグ４１が嵌合されて電気的に接続される。なお、この図３（ｂ）に示した例では、凹形状の分岐母線４０に、凸形状の電源プラグ４１が嵌合される様態を示したが、その凹凸が逆であってもよく、これら以外でも分岐母線４０と電源プラグ４１とが電気的に接続される構造であればよい。
【００２３】
また、装置収納ケース３６には、図３（ｂ）と図４に示すように、装置収納ケース３６の正面と対向する背面板３９に、３相分の分岐母線４０が各々絶縁体４２を介して電気的に絶縁状態に設けられている。更に、背面板３９には、従来例で説明した垂直母線１５に、電気的に接続される仲介電源プラグ４４が設けられており、仲介電源プラグ４４と分岐母線４０とが電線ケーブル４６によって接続されている。
【００２４】
つまり、単位装置３４の電源プラグ４１は、分岐母線４０、電線ケーブル４６及び仲介電源プラグ４４を介して垂直母線１５に電気的に接続されるようになっている。
このように接続する際には、装置収納ケース３６を仕切り板３２の間の収納スペースに収納する必要があるが、その収納スペースを形成する下方の仕切り板３２の上面両端には、ケース用ガイドレール４８が平行に固定されており、このケース用ガイドレール４８に支持されて装置収納ケース３６が、コントロールセンタ３０の本体に出し入れ自在に収納されるようになっている。
【００２５】
なお、図３（ａ）の符号５０はコントロールセンタ３０の本体側板を表す。また、装置収納ケース３６には、本体に出し入れしやすいように図示せぬ取っ手などの把持手段を設けてもよい。
このような構成のコントロールセンタ３０に複数の単位装置３４を収納する場合、まず、複数の装置収納ケース３６の各々に、装置用ガイドレール３８に沿って複数の単位装置３４を収納する。この収納時に、各単位装置３４の電源プラグ４１が分岐母線４０に電気的に接続される。
【００２６】
次に、各装置収納ケース３６を、コントロールセンタ３０の仕切り板３２の間の収納スペースに、ケース用ガイドレール４８に沿って収納する。この収納時に、仲介電源プラグ４４が垂直母線１５に電気的に接続される。
これによって、各単位装置３４がコントロールセンタ３０に収納されると共に、単位装置３４の電源プラグ４１が、分岐母線４０、電線ケーブル４６及び仲介電源プラグ４４を介して垂直母線１５に電気的に接続される。
【００２７】
このように、本実施の形態のコントロールセンタ３０によれば、単位装置３４を個々に支持して当該単位装置３４の出し入れを補助する装置用ガイドレール３８と、この装置用ガイドレール３８を介して単位装置３４が収納された際に、当該単位装置３４の電源プラグ４１が接続される分岐母線４０と、この分岐母線４０に電線ケーブル４６で接続されており、且つコントロールセンタ３０の収納スペースへの収納時に電源供給用の垂直母線１５に接続されることにより、分岐母線４０と垂直母線１５とを接続する仲介電源プラグ４１とを有する装置収納ケース３６を備えた。
【００２８】
つまり、装置収納ケース３６に複数の単位装置３４を出し入れ自在に収納するようにした。この際、単位装置３４の個々を装置用ガイドレール３８によって支持しながら出し入れするので、個々の単位装置３４の出し入れが容易となる。
また、複数の単位装置３４を収納した状態で装置収納ケース３６自体を、コントロールセンタ３０内の収納スペースに出し入れ自在に収納することができるので、同時に複数の単位装置３４をコントロールセンタ３０内に出し入れすることができる。
【００２９】
更に、装置収納ケース３６に単位装置３４を収納した際に、当該単位装置３４の電源プラグ４１が装置収納ケース３６の分岐母線４０に接続される。この分岐母線４０は同装置収納ケース３６の仲介電源プラグ４１に電線ケーブル４６で接続されているので、当該装置収納ケース３６をコントロールセンタ３０内に収納した際に仲介電源プラグ４１が垂直母線１５に接続されると、単位装置３４の電源プラグ４１が、分岐母線４０、電線ケーブル４６及び仲介電源プラグ４１を介して垂直母線１５に接続される。
【００３０】
これによって、作業者はコントロールセンタ３０への単位装置３４の収納時に意識することなく単位装置３４を垂直母線１５に接続することができる。
また、装置収納ケース３６をケース用ガイドレール４８によって支持しながらコントロールセンタ３０内に出し入れすることができるようにしたので、装置収納ケース３６の出し入れが容易となる。
【００３１】
従って、これらのことから、複数の単位装置３４をコントロールセンタ３０に収納、取り出す際の作業性を向上させることができる。
また、装置用ガイドレール３８は、単位装置３４を、この長手辺が装置収納ケース３６の水平面に対して垂直となる縦置き状態に複数支持するように、装置収納ケース３６内に設けられているので、装置収納ケース３６内に、複数の単位装置３４を隣同士に殆ど空間ができないように装置用ガイドレール３８で支持して収納することができる。予め装置収納ケース３６内の高さを、単位装置３４を収納した状態で単位装置３４の長手辺とほぼ同じ寸法としておけば、装置収納ケース３６内に殆ど空きスペースが生じることなく複数の単位装置３４を収納することができる。
【００３２】
従来は、コントロールセンタの収納室に単位装置を収納する場合、単位装置の長手辺が水平となる横置き状態に収納することを前提としていたので、単位装置の長手辺のサイズが、収納室の横幅よりも短い場合、収納室に空きスペースが生じていた。このような空きスペースが各収納室において生じるほどに無駄なスペースが増加することになるので、その分、コントロールセンタに多くの単位装置を収納することができなかったが、本実施の形態の構成では、空きスペースが殆ど生じないので、多くの単位装置を収納することができる。
【００３３】
言い換えれば、コントロールセンタに収納される単位装置が従来と本実施の形態で同数であるとすれば、本実施の形態では、コントロールセンタ３０全体のサイズを小型化することができるので、コントロールセンタ３０の輸送費や工事費などの施工コストを下げることができると共に、電気室などの設置スペースを小さくすることができる。
【００３４】
この他、本実施の形態の変形例として、図５に示すように、装置収納ケース３６内の上下中間に水平に仕切り板５２を固定して、装置収納ケース３６内を上下に分割し、更に、その仕切り板５２の上下面に、他の装置用ガイドレール３８と上下で平行となる装置用ガイドレール３８ａを固定してもよい。つまり、単位装置３４よりもサイズの小さい単位装置３４ａを、各装置用ガイドレール３８及び３８ａに支持して、出し入れ自在に収納することが可能となる。
【００３５】
この場合、図６に示すように、装置収納ケース３６の正面と対向する背面板３９に、更に３相分の分岐母線４０ａを、各々絶縁体４２ａを介して電気的に絶縁状態に設ける。これによって、装置収納ケース３６に単位装置３４ａを収納した際に、各単位装置３４ａの電源プラグ（電源プラグ４１に該当）が、分岐母線４０と４０ａに電気的に接続される。
【００３６】
更に、装置用ガイドレール３８として、薄板状で、この両面に細長い角棒状のガイドレールが複数並行に固定されたものを用い、これを装置収納ケース３６内に垂直に立てて、所定間隔で複数枚固定してもよい。この場合、装置収納ケース３６の両側面にも、その複数のガイドレールと平行に同ガイドレールを固定する。
【００３７】
このような構成のケース用ガイドレールにおいては、装置収納ケース３６の下から上に向かって（垂直方向に向かって）任意間隔で複数のガイドレールを固定することができるので、単位装置３４ａを垂直方向に、１段、２段、３段など配列可能として、尚且つ装置収納ケース３６内に空きスペースが殆ど生じないような、単位装置３４ａの収納が可能となる。
このような変形例によっても上記実施の形態同様の効果を得ることができ、更に、サイズが小さく且つ異なる単位装置３４ａでも、装置収納ケース３６内に殆ど空きスペースが生じることなく複数収納することができる。
【００３８】
【発明の効果】
以上説明したように本発明は、ケースに複数の単位装置を出し入れ自在に収納するようにした。この際、単位装置の個々を第１のガイド手段によって支持しながら出し入れするので、個々の単位装置の出し入れが容易となる。また、複数の単位装置を収納した状態でケース自体を、制御盤内の収納スペースに出し入れ自在に収納することができるようにしたので、同時に複数の単位装置を制御盤内に出し入れすることができる。更に、ケースに単位装置を収納した際に、当該単位装置の電源プラグがケースの分岐母線に接続される。この分岐母線は同ケースの仲介電源プラグに接続されているので、当該ケースを制御盤内に収納した際に仲介電源プラグが母線に接続されると、単位装置の電源プラグが、分岐母線及び仲介電源プラグを介して母線に接続される。これによって、作業者は制御盤への単位装置の収納時に意識することなく単位装置を母線に接続することができる。
【００３９】
また、収納スペースを形成する上下の仕切り板のうち下の仕切り板に、ケースを支持して当該ケースの出し入れを補助する第２のガイド手段を備えたので、ケースを第２のガイド手段によって支持しながら制御盤内に出し入れすることができ、これによって制御盤内へのケースの出し入れが容易となる。
また、第１のガイド手段は、単位装置を、この長手辺がケースの水平面に対して垂直となる縦置き状態に複数支持するように、ケース内に設けられているので、ケース内に、複数の単位装置を隣同士に殆ど空間ができないように第１のガイド手段で支持して収納することができる。予めケース内の高さを、単位装置を収納した状態で単位装置の長手辺とほぼ同じ寸法としておけば、ケース内に殆ど空きスペースが生じることなく複数の単位装置を収納することができる。
【００４０】
また、ケース内を水平な仕切り板で仕切り、この仕切り板の上下面とケース内の上下面とに、第１のガイド手段を設けたので、サイズの小さい単位装置を、ケース内に殆ど空きスペースが生じることなく複数収納することができる。
従って、以上のことから、制御盤全体のサイズを小型化することができ、この小型化によって輸送費や工事費などの施工コストを下げることができると共に電気室などの設置スペースを小さくすることができ、また、複数の単位装置を収納、取り出す際の作業性を向上させることができるという効果がある。
【図面の簡単な説明】
【図１】本発明の実施の形態に係る制御盤であるコントロールセンタの構成を示す正面図である。
【図２】上記実施の形態に係る制御盤に収納される装置収納ケースを示す斜視図である。
【図３】上記実施の形態に係る制御盤に複数の単位装置が収納された装置収納ケースの収納状態を示す図である。
【図４】上記装置収納ケースに形成された分岐母線を示す図である。
【図５】上記実施の形態の変形例に係る制御盤に複数の単位装置が収納された装置収納ケースの収納状態を示す正面図である。
【図６】上記変形例の装置収納ケースに形成された分岐母線を示す図である。
【図７】従来の制御盤であるコントロールセンタの構成を示す図である。
【図８】従来のコントロールセンタに収納される単位装置の構成を示す図である。
【図９】従来のコントロールセンタの収納室に、サイズの小さい単位装置を収納した状態を示す図である。
【符号の説明】
１０，３０  コントロールセンタ（制御盤）
１１  母線室
１１ａ  母線室ドア
１２  収納室
１２ａ  収納室ドア
１３  載置テーブル
１４  水平母線
１５  垂直母線
２１，３４，３４ａ  単位装置
２１ａ  ブレーカ
２１ｂ  表示盤
２３，４１  電源プラグ
２５  空きスペース
Ｌ１  単位装置の長手方向（水平方向）のサイズ
Ｌ２  収納室１２の横幅（水平方向の幅）
３２，５２  仕切り板
３６  装置収納ケース
３８，３８ａ  装置用ガイドレール
３９  装置収納ケースの背面板
４０，４０ａ  分岐母線
４２，４２ａ  絶縁体
４４  仲介電源プラグ
４６  電線ケーブル
４８  ケース用ガイドレール
５０  コントロールセンタの本体側板
【図１】
2004328873.tif 000003
【図２】
2004328873.tif 000004
【図３】
2004328873.tif 000005
【図４】
2004328873.tif 000006
【図５】
2004328873.tif 000007
【図６】
2004328873.tif 000008
【図７】
2004328873.tif 000009
【図８】
2004328873.tif 000010
【図９】
2004328873.tif 000011